(57)【要約】【課題】システムの状態に応じて電源の効率を最適化して消費電力を削減することを目的とする。【解決手段】単一又は複数のリモコン１と機器２との間で通信手段を介して遠隔制御を行う遠隔制御システムであって、前記リモコン１には前記通信手段を介して得られた機器の動作状態を判断するコントローラ５を有し、前記機器本体２には各機能毎に分類されたアクチュエータ群７に電源を供給する電源部６を有し、前記コントローラ５が予め設定した特定の動作状態と判断したとき、前記電源部６より供給される電源を切り換え、または停止するようにしてある。【選択図】図１
2005151311.tif 000002
【特許請求の範囲】
【請求項１】
単一又は複数のリモコンと機器との間で通信手段を介して遠隔制御を行う遠隔制御システムであって、前記リモコンには前記通信手段を介して得られた機器の動作状態を判断するコントローラを有し、前記機器本体には各機能毎に分類されたアクチュエータ群に電源を供給する電源部を有し、前記コントローラが予め設定した特定の動作状態と判断したとき、前記電源部より供給される電源を切り換え、または停止するようにした遠隔制御システム。
【請求項２】
機器本体の電源部は各機能毎に分類されたアクチュエータ群に対応した複数の電源出力をもち、コントローラの特定動作の判断結果に応じて前記複数の電源出力を切り換えるようにした請求項１記載の遠隔制御システム。
【請求項３】
機器本体の電源部は商用電源などの外部電源より電源供給を受け、コントローラが全てのアクチュエータへの電源供給が不要と判断したときは、前記電源部に入力される外部電源を停止するようにした請求項１記載の遠隔制御システム。
【請求項４】
機器本体の電源部は各機能毎に分類されたセンサー群に対応した複数の電源出力をもち、コントローラの特定動作の判断結果に応じて前記複数の電源出力を切り換えるようにした請求項１記載の遠隔制御システム。
【請求項５】
リモコンと複数の機器との間で通信手段を介して遠隔制御を行う遠隔制御システムであって、前記リモコンには前記通信手段を介して得られたそれぞれの機器の動作状態を判断するコントローラを有し、前記機器本体には各機能毎に分類されたアクチュエータ群に電源を供給する電源部をそれぞれ有し、前記コントローラが予め設定した特定の動作状態と判断したとき、その判断結果に応じてそれぞれの機器本体の電源部より供給される電源を切り換え、または停止するようにした遠隔制御システム。
【請求項６】
機器本体の電源部は商用電源などの外部電源より電源供給を受け、コントローラが全てのアクチュエータへの電源供給が不要と判断したときは、前記電源部に入力される外部電源を停止するようにした請求項５記載の遠隔制御システム。
【請求項７】
それぞれの機器本体の電源部には各機能毎に分類されたセンサー群に対応した複数の電源出力をもち、コントローラの特定動作の判断結果に応じて、それぞれの機器本体の電源部の複数の電源出力を切り換えるようにした請求項５記載の遠隔制御システム。
【発明の詳細な説明】
【技術分野】
【０００１】
本発明は、機器本体を遠隔操作する遠隔制御システムに関するものである。
【背景技術】
【０００２】
従来のこの種の遠隔制御装置においては、単一又は複数のリモコン（浴室リモコン、台所リモコン）で操作される給湯機において、リモコンに設けられた動作状態を表示する表示器に省電力モードと通常モードとを設定し、これら省電力モード又は通常モードの実行中、その実行状態を表示器に表示し、省電力モードの実行中、遠隔制御手段の操作入力又は制御情報により省電力モードを解除して通常モードに復帰させる制御手段を備え、通常モードから省電力モードへ移行させ、表示動作を解除することにより省電力化を図るようにしたものがある（特許文献１参照）。
【０００３】
また、通常動作モードと省電力動作モードとを有する機器に電源を供給するためのスイッチング電源装置を制御する電源制御装置において、機器の省電力動作モード時に、スイッチング素子によるスイッチング動作を間欠的に行わせる間欠発振制御手段を備え省電力化を図るようにしたものがある（特許文献２参照）。
【特許文献１】特開２００２−１３０８０２号公報
【特許文献２】特開２００３−１１６２７２号公報
【発明の開示】
【発明が解決しようとする課題】
【０００４】
しかしながら上記従来例にあっては、リモコン単体の消費電力の低減を考えたものであり、機器本体を含む遠隔制御システムとしての消費電力の低減にはつながらない。また、後者の例では機器本体の電源を機器本体側で制御すると、リモコンは常に入力を受ける状態でなければならないため、電源を制御するにも機器本体とリモコンの二箇所が動作状態になければならないという課題がある。
【０００５】
本発明はこのような従来の課題を解消したもので、遠隔制御システム全体としての省電力化を向上することを目的とする。
【課題を解決するための手段】
【０００６】
本発明は上記課題を解決するために、リモコンと機器との間で遠隔制御を行う遠隔制御システムにおいて、リモコンで判断した機器の動作状態が予め設定した特定の動作状態の場合、負荷に供給する電源供給形態を変更するようにしたものである。
【０００７】
上記発明によれば、リモコンの判断結果に基づいて負荷に供給する電源供給形態を変更するようにしているため、遠隔制御システム全体としての省電力化が図れることになる。
【発明の効果】
【０００８】
本発明によれば、システムの状態に応じて電源部からの出力あるいは電源部への入力を切り替え、あるいは停止させることで、システム全体として消費電力を低減できる効果がある。
【発明を実施するための最良の形態】
【０００９】
第１の発明は、単一又は複数のリモコンと機器との間で通信手段を介して遠隔制御を行う遠隔制御システムであって、前記リモコンには前記通信手段を介して得られた機器の動作状態を判断するコントローラを有し、前記機器本体には各機能毎に分類されたアクチュエータ群に電源を供給する電源部を有し、前記コントローラが予め設定した特定の動作状態と判断したとき、前記電源部より供給される電源を切り換え、または停止するように構成したことを特徴とするもので、機器本体の動作状態が予め設定した特定の動作状態になっているか否かをリモコンとの通信の中で、リモコンに備えたコントローラにより判断し、その判断結果に基づいてアクチュエータに供給する電源供給形態を変更するようにしているため、遠隔制御システムとしての省電力化が図れることになる。
【００１０】
第２の発明は、機器本体の電源部は各機能毎に分類されたアクチュエータ群に対応した複数の電源出力をもち、コントローラの特定動作の判断結果に応じて前記複数の電源出力を切り換えるようにしたことを特徴とするもので、第１の発明と同様、遠隔制御システムとして消費電力を低減することができる。
【００１１】
第３の発明は、機器本体の電源部は商用電源などの外部電源より電源供給を受け、コントローラが全てのアクチュエータへの電源供給が不要と判断したときは、前記電源部に入力される外部電源を停止するようにしたことを特徴とするもので、第１の発明と同様、遠隔制御システムとして消費電力を低減することができる。
【００１２】
第４の発明は、機器本体の電源部は各機能毎に分類されたセンサー群に対応した複数の電源出力をもち、コントローラの特定動作の判断結果に応じて前記複数の電源出力を切り換えるようにしたことを特徴とするもので、第１の発明と同様、遠隔制御システムとして消費電力を低減することができる。
【００１３】
第５の発明は、リモコンと複数の機器との間で通信手段を介して遠隔制御を行う遠隔制御システムであって、前記リモコンには前記通信手段を介して得られたそれぞれの機器の動作状態を判断するコントローラを有し、前記機器本体には各機能毎に分類されたアクチュエータ群に電源を供給する電源部をそれぞれ有し、前記コントローラが予め設定した特定の動作状態と判断したとき、その判断結果に応じてそれぞれの機器本体の電源部より供給される電源を切り換え、または停止するようにしたことを特徴とするもので、リモコンで複数の機器を遠隔制御するシステムにあっても、それぞれの機器の状態をリモコンで確認し、その確認結果に応じて、それぞれの機器本体の電源部の電源供給形態を変更するようにしているため、遠隔制御システムとしての省電力化が図れることになる。
【００１４】
第６の発明は、機器本体の電源部は商用電源などの外部電源より電源供給を受け、コントローラが全てのアクチュエータへの電源供給が不要と判断したときは、前記電源部に入力される外部電源を停止するようにしたことを特徴とするもので、第５の発明と同様、遠隔制御システムとして消費電力を低減することができる。
【００１５】
第７の発明は、それぞれの機器本体の電源部には各機能毎に分類されたセンサー群に対応した複数の電源出力をもち、コントローラの特定動作の判断結果に応じて、それぞれの機器本体の電源部の複数の電源出力を切り換えるようにしたことを特徴とするもので、、第５の発明と同様、遠隔制御システムとして消費電力を低減することができる。
【００１６】
以下、本発明の実施の形態について図面を参照しながら説明する。
【００１７】
（実施の形態１）
図１において、１はリモコンで、機器本体２の状態を表示するための液晶やランプリモコン表示部３、機器本体２の状態を操作するためのスイッチ４およびコントローラ５等が設けられている。
【００１８】
６は機器本体２に内蔵された電源部で、この電源部６は外部より商用電源等から電源が供給され、内部で複数の電源を作り、アクチュエータ７やリモコン１に供給している。
【００１９】
このシステムにおいて、電源供給を少なくすることが可能となった場合、あるいは電源供給が必要なくなった場合、さらには電源供給を多くする必要になった場合など、ある条件になった場合、リモコン１に設けられたコントローラ５より電源部６から出力されている複数の電源を切り替え、または停止を行い、アクチュエータ７やリモコン１へ供給されている電源を切り替えることで、システムの状態に応じて消費電力を制限し、省電力化を図るようにする。
【００２０】
また、条件によっては電源部６に供給される商用電源等からの電源供給もコントローラ５から切り替えることにより、消費電力の低減をすることができる。
【００２１】
例えば、給湯器では複数のリモコン（台所用リモコン、浴室用リモコン、床暖房用リモコン）と機器本体から構成されている。そして、リモコンは給湯器の状態、供給される湯温、周辺温度、時計、給湯器や浴槽、室内などに設けた各種センサからの情報の表示、給湯器への指示を行う機能、複数のリモコン間のインターホン機能を搭載している。
【００２２】
上記構成において、これまでは、機器本体の電源制御（通常モードと省エネモードの切り換え）は機器本体にあるマイクロコンピュータと、その周辺の制御用回路など給湯器本体側で行っている。機器本体には複数のマイクロコンピュータが搭載され、それぞれのリモコン内部にもマイクロコンピュータが搭載されている。
【００２３】
そして、通常モードと省エネモードの切り換えは、本体機器のマイクロコンピュータが機器の動作状態を判断し、本体機器に内蔵された電源部を制御して行うようにしているため、入力を常に待っているリモコンのマイクロコンピュータと電源制御を行っている機器本体のマイクロコンピュータは常に動いている必要があった。
【００２４】
そこで本実施の形態は、給湯機能や暖房機能が停止されている場合、あるいは暖房機能だけが停止している場合、または給湯機能だけが停止している場合、リモコン間のインターホン機能のみ使用したい場合など、機器本体の全ての機能を作動状態にしておく必要がないときには、必要なブロック毎に電源供給をリモコン側から行うことで、給湯器本体内のマイクロコンピュータの電源供給を停止、あるいは制限することが可能である。これにより、常に通電を必要とする給湯器でも大幅な消費電力の低減が可能である。
【００２５】
（実施の形態２）
図２は本発明の実施の形態２における遠隔制御システムを示し、実施の形態１と同一部分は同一番号を付与し、説明を省略する。
【００２６】
図２において、８は機器本体２に接続される外部機器であり、この外部機器８への電源供給は機器本体２より行われる。
【００２７】
このシステムにおいて、ある条件になった場合、外部機器８へ供給される電源部６から出力される電源をコントローラ５からの指示により切り替え、あるいは停止することができる。これによりシステムの状態によって外部機器８に供給する電源を変化させることになり、消費電力を低減することができる。
【００２８】
（実施の形態３）
図３は本発明の実施の形態３を示し、実施の形態１、２と同一部分は同一番号を付与し、説明を省略する。
【００２９】
図３において、８は機器本体２に接続される外部機器である。外部機器８の電源部９は機器本体２と独立に電源を外部より供給している。
【００３０】
このシステムにおいてある条件になった場合、外部機器８は該機器内のアクチュエータ１０に供給する電源をリモコン１内のコントローラ５より切り替え、あるいは停止することができる。
【００３１】
これによりシステムの状態によって外部機器８が消費する電力を変化させることになり、消費電力の低減することができる。また、条件によっては外部機器８の電源部９に供給される電源もコントローラ５から切り替えることにより消費電力の低減をすることができる。
【００３２】
（実施の形態４）
図４は本発明の実施の形態４を示し、実施の形態１、２と同一部分は同一番号を付与し、説明を省略する。
【００３３】
図４において、リモコン１に複数の機器本体２が接続され、それぞれの機器本体２には独立した電源部６が存在する。
【００３４】
このシステムにおいて、ある条件になった場合、リモコン１内のコントローラ５が機器本体２にそれぞれ接続されているアクチュエータ７、外部機器８等に供給される電源を切り替え、あるいは停止することで、それぞれの機器本体２、アクチュエータ７、外部機器８等に供給される電源が変化し、消費電力を低減することができる。
【００３５】
（実施の形態５）
図５は本発明の実施の形態５を示し、実施の形態１、２と同一部分は同一番号を付与し、説明を省略する。
【００３６】
図５において、リモコン１に複数の機器本体２がローカルネットワークあるいは広域ネットワークなどのネットワーク１１を介し接続されている。
【００３７】
ネットワーク１１を介し接続されている機器本体２がそれぞれ、あるいは、すべてがある条件になった場合、リモコン１から機器本体２にそれぞれ接続されているアクチュエータ７、外部機器８等に供給されている電源を切り替え、あるいは停止することで、それぞれの機器本体２、アクチュエータ７、外部機器８等に供給される電源が変化し、消費電力を低減することができる。
【００３８】
例えば、家庭内の複数の機器が１つのリモコンに接続されていたとする。複数の機器とは空調設備、給湯設備、冷蔵設備、音響設備、防犯設備、照明設備などで、具体的には家庭電化製品（冷蔵庫、洗濯機、電子レンジ、テレビ、ビデオレコーダ、エアーコンディショナー、セキュリティーセンサ、照明）である。
【００３９】
これらの設備機器あるいは電化製品は常に動作状態にあるわけではないが、商用電源に接続されているため電源供給がなされていることになる。
【００４０】
それぞれの機器が待機状態あるいは停止している状態では、それぞれの機器が個別に待機状態あるいは停止状態を判断し、所定の待機モードあるいは停止モードに入っている。テレビなどの電源スイッチがついているものであれば、待機時には電源部分が駆動している。
【００４１】
また、冷蔵庫など電源スイッチがないものではある設定になった場合、あるいは時間帯により機器の動作制御が行われているため、機器の動作部分では常に電源供給がなされている。
【００４２】
これらの機器がそれぞれ独立して商用電源等に接続され、個別に動作している場合には、それぞれの機器が待機モード、停止モードを判断しているため、機器本体内のマイクロコンピュータあるいは電源回路等は常に動作状態にある必要がある。
【００４３】
本実施の形態で示したものを用いれば、屋内において人がいる場合には照明、空調設備などに電源供給は行うが、人が屋内にいない場合は、特に人が設定をした場合を除いて機器本体に供給される電源を切断、あるいは制限する。
【００４４】
人が屋内にいない場合は、防犯設備に電源供給を行い、屋内に人がいる場合には電源供給を行わないという、個々の機器に供給する電源自体の制御が可能である。接続されている機器に供給する電源自体をリモコン側から制御することで、屋内の消費電力を大幅に低減できる。
【産業上の利用可能性】
【００４５】
以上のように本発明にかかる遠隔制御システムによれば、システム全体として消費電力を低減できるものであり、例えば、一般家庭における電化製品、空調設備、給湯設備、冷蔵設備、音響設備、防犯設備、照明設備などの遠隔制御用として極めて有用である。
【図面の簡単な説明】
【００４６】
【図１】本発明の実施の形態１における遠隔制御システムのブロック図
【図２】本発明の実施の形態２における遠隔制御システムのブロック図
【図３】本発明の実施の形態３における遠隔制御システムのブロック図
【図４】本発明の実施の形態４における遠隔制御システムのブロック図
【図５】本発明の実施の形態５における遠隔制御システムのブロック図
【符号の説明】
【００４７】
１  リモコン
２  機器本体
３  リモコン表示部
４  リモコン操作部
５  コントローラ
６、９  電源部
７、１０  アクチュエータ
８  外部機器
【図１】
2005151311.tif 000003
【図２】
2005151311.tif 000004
【図３】
2005151311.tif 000005
【図４】
2005151311.tif 000006
【図５】
2005151311.tif 000007